【手続補正書】
【提出日】平成20年2月14日(2008.2.14)
【手続補正１】
【補正対象書類名】明細書
【補正対象項目名】特許請求の範囲
【補正方法】変更
【補正の内容】
【特許請求の範囲】
【請求項１】  密度20〜150ｋｇ／ｍ３、気泡寸法25〜700μmの範囲、および延伸されない場合、含まれる気泡の80％が寸法20〜400μmを有するような気泡分布を有し、フォームが作成される材料がＤＭＳＯ中３０℃での極限粘度  1.5〜0.3dl/gの範囲である、連続相として、発泡された分解または複合でんぷんを含む、特にフォームシート材料の形態の、半製品。
【請求項２】  密度25〜100ｋｇ／ｍ３、気泡寸法40〜600μmの範囲、および延伸されない場合、含まれる気泡の80％が寸法25〜300μmを有するような気泡分布を有する、請求項１記載の、特にフォームシート材料の形態の、半製品。
【請求項３】  密度30〜70ｋｇ／ｍ３、および延伸されない場合、含まれる気泡の80％が寸法30〜200μmを有するような気泡分布を有する、請求項２記載の、特にフォームシート材料の形態の、半製品。
【請求項４】  密度30〜70ｋｇ／ｍ３、平均気泡寸法80〜120μmを有する、請求項３記載の、特にフォームシート材料の形態の、半製品。
【請求項５】  前記でんぷんが天然もしくは変性でんぷんまたはそれらの混合物である、請求項１〜４いずれかに記載の半製品。 
【請求項６】  前記天然または変性でんぷんが、ポテト、小麦、トウモロコシおよびタピオカから誘導される、請求項５記載の半製品。
【請求項７】  前記変性でんぷんが物理的または化学的に変性された、特にエトキシル化でんぷん、アセテートでんぷん、ブチレートでんぷん、プロピオネートでんぷん、ヒドロキシプロピル化でんぷん、陽イオン性でんぷん、酸化でんぷん、架橋でんぷん、ゼラチン化でんぷん、"Ｖ"型複合物を得ることができる分子および/またはポリマーと複合したでんぷん、デキストリン化したでんぷん、およびポリエステル、ポリウレタン、ポリエステル-ウレタン、ポリ尿素、ポリエステル-尿素、ポリシロキサン、シラン、チタネート、脂肪鎖などの鎖でグラフトしたでんぷんである、請求項５記載の半製品。
【請求項８】  35％相対湿度、23℃での、2〜4秒の各開口および閉鎖操作の使用で、破損することなく、連続開口/閉鎖サイクルに少なくとも10回抵抗することができる、形成段階で得られるヒンジを有する製品を形成することができる、請求項１〜７いずれかに記載の半製品。
【請求項９】  ＤＭＳＯ中、30℃の極限粘度が1.2〜0.4dl/gの範囲である、請求項１〜８いずれかに記載の半製品。
【請求項１０】  ＤＭＳＯ中、30℃の極限粘度が1.1〜0.6dl/gの範囲である、請求項１〜９いずれかに記載の半製品。
【請求項１１】  融点60〜175℃の１種またはそれ以上の熱可塑性ポリマーを含む、請求項１〜１０いずれかに記載の半製品。
【請求項１２】  前記熱可塑性ポリマーが、天然由来のポリマーであって、変性または非変性であり、とりわけセルロースから誘導されたポリマー、酢酸セルロース、プロピオン酸セルロース、酪酸セルロースなど、およびそれらのコポリマーであって、置換度1〜2.5を有するもの；アルキルセルロース、ヒドロキシアルキルセルロース、カルボキシアルキルセルロース型のポリマー、とりわけカルボキシメチルセルロース、ニトロセルロース、およびキトサン、プルランまたはカゼインおよびカゼイン塩、ゼイン、大豆タンパク質、アルギン酸およびアルギン酸塩、天然ゴム、ポリアスパラギン酸塩；グルテン、デキストリン(dextrens)である、請求項１１記載の半製品。
【請求項１３】  前記熱可塑性ポリマーが、合成または発酵由来の生物分解性ポリマー、とりわけＣ2-Ｃ24脂肪族ヒドロキシ酸またはそれらに対応するラクトンもしくはラクチドのポリマーまたはコポリマー、とりわけ様々なD/L乳酸比を有する乳酸のポリマー、脂肪族および脂肪族-芳香族ポリエステルを有するポリ乳酸のコポリマー、ポリカプロラクトン、ポリバレロラクトン、それらのコポリマーを含む型のポリエステル、
および二官能性酸と脂肪族ジオールから誘導されるポリエステル、脂肪族-芳香族ポリエステル、とりわけ鎖エクステンダを用いて処理したまたは処理していないアルキレンテレフタレートアジピン酸を含む型のコポリマーであって、好ましくはテレフタル酸40モル％未満を有するもの、一般的なエポキシ樹脂、特にビスフェノール性樹脂である、請求項１１記載の半製品。
【請求項１４】  前記熱可塑性ポリマーが、疎水性配列中に挿入された親水性基を含むポリマー、例えばエチレンビニルアルコールコポリマー、エチレンビニルアセテートコポリマー、アクリル酸エステル、エチレンアクリル酸エステルコポリマー、エチレンと、アクリル酸、メタクリル酸、クロトン酸、イタコン酸などの不飽和酸とのコポリマー、脂肪族ポリエステルおよび/または芳香族-脂肪族ポリエステル中に官能性アルコール性、カルボキシル性基を有する親水性ユニットを有するコポリマー、ビスフェノールを含む樹脂を含むエポキシ樹脂である、請求項１１記載の半製品。
【請求項１５】  前記熱可塑性ポリマーが、でんぷんと水素結合を形成することができるポリマー、とりわけ様々な加水分解度を有するポリビニルアルコールであって、必要に応じてアクリレートまたはメタクリレートで変性されたもの、融点降下の目的で前もって可塑化または変性したポリビニルアルコールである、請求項１１記載の半製品。
【請求項１６】  ポリビニルアルコール、オレフィンモノマー、好ましくはエチレン、とビニルアルコール、ビニルアセテート、アクリル酸およびメタクリル酸から選択されるモノマーとのコポリマー、カプロラクトンなどの脂肪族ポリエステル、ポリアルキレンスクシネート、アゼライン酸、セバシン酸、ブラシル酸のポリマーおよびそれらのコポリマー、脂肪族ポリアミド、セバシン酸ポリアルキレン、アゼライン酸ポリアルキレン、ブラシル酸ポリアルキレン、とりわけＣ2-Ｃ13を含むジオールを有するもの、ダイマー酸を含むポリエステル、ポリアルキレンテレフタレートアジピン酸型の芳香族-脂肪族ポリマー、およびエポキシ樹脂、特にビスフェノール基を有するもの、を含む、請求項１１記載の半製品。
【請求項１７】  核生成剤が出発組成物に対して0.05〜10重量％、好ましくは0.5〜7重量％、より好ましくは1〜5重量％の範囲の濃度で含まれる、請求項１〜１６いずれかに記載の半製品。
【請求項１８】  核生成剤がタルク(ケイ酸マグネシウム)、炭酸カルシウム、ナトリウムおよびバリウム硫酸塩、二酸化チタンなどの無機組成物で構成され、必要に応じてその表面がシラン、チタネートなどの接着プロモーターで処理されている、請求項１７記載の半製品。
【請求項１９】  木粉末、セルロース、ブドウ残留粉末、ふすま、トウモロコシ外皮または他の天然繊維などの有機充填剤および繊維を0.5〜20％の濃度で含む、請求項１〜１８いずれかに記載の半製品。
【請求項２０】  核生成剤、潤滑剤および/または分散剤および可塑剤を含む、請求項１〜１９いずれかに記載の半製品。
【請求項２１】  パーム油、トウモロコシ油、大豆油、ヒマワリ油などの食用油、Ｃ12〜Ｃ22脂肪酸、様々な置換度を有するそれらのグリセリド、とりわけ、少なくとも環境温度でおよび好ましくは環境温度以上で固体である動物または合成物由来の水素化脂肪、を含み、耐湿性が改善され、そして水に対する湿気可能性(wetability)が減少する、請求項１〜２０いずれかに記載の半製品。
【請求項２２】  乳酸、酒石酸、クエン酸などの弱酸を含み、押出成形プロセス中ででんぷんの粘度が調節される、請求項１〜２１いずれかに記載の半製品。
【請求項２３】  不織布ファブリック、織物ファブリック、紙、生物分解性および非生物分解性フィルム、またはアルミニウムの層を用いたラミネーションによって得られる、請求項１〜２２いずれかに記載の半製品から得られた製品および半製品。
【請求項２４】  天然繊維、例えば黄麻、綿、ウールの繊維、多糖類ベースの繊維、例えばセルロースアセテート、でんぷんアセテート、ビスコースなど、または生物分解性ポリマーから製造される繊維であって、とりわけポリ乳酸、ポリカプロラクトン、ジアルコールとＣ2-Ｃ13直鎖および／または環脂肪族から選択される二酸とのポリアルキレンカルボキシレートなどの脂肪族ポリエステル、脂肪族-芳香族ポリエステル、とりわけポリアルキレンテレフタレートアジピン酸およびそれらのコポリマーの群、とりわけカプロラクタム、脂肪族アミンベースのポリアミド、脂肪族ポリウレタン、ポリエステル-ウレタン、ポリ尿素、およびエポキシ樹脂、の不織布ファブリックまたは織物ファブリックを用いたラミネーションによって製造される、請求項２３記載の製品および半製品。
【請求項２５】  生物分解性ポリマー、とりわけポリ乳酸、ポリカプロラクトンなどの脂肪族ポリエステルおよび/または脂環式、ジアルコールとＣ2-Ｃ13の範囲の直鎖状から選択される二酸とのポリアルキレンカルボキシレート、脂肪族-芳香族ポリエステル、とりわけアジピン酸テレフタレートポリアルキレンおよびそれらのコポリマーの群、とりわけカプロラクタム、脂肪族アミンなどベースのポリアミド、脂肪族ポリウレタン、ポリエステル-ウレタン、ポリ尿素、エポキシ樹脂から構成されるフィルムといっしょにした、ブロー押出成形、共押出成形および/または一体成形によって得られる、請求項２３記載の製品および半製品。
【請求項２６】  生物分解性ポリマー、とりわけポリ乳酸、ポリカプロラクトン、ジアルコールとＣ2-Ｃ13の範囲の直鎖および/または脂環式から選択される二酸とのポリアルキレンカルボキシレートなどの脂肪族ポリエステル、脂肪族-芳香族ポリエステル、とりわけアジピン酸ポリアルキレンテレフタレートおよびそれらのコポリマーの群、とりわけカプロラクタム、脂肪族アミンなどベースのポリアミド、脂肪族ポリウレタン、ポリエステル-ウレタン、ポリ尿素、エポキシ樹脂の、エマルション、分散物、溶液、ホットメルトを用いたコーティングによる、請求項１〜２２いずれかに記載の半製品から得られる製品および半製品。
【請求項２７】  フィルムが、温度および/または、乳酸、ポリウレタン、ポリビニルアセテートおよびポリビニルアルコールのポリマー、カゼインおよびグルテンなどタンパク質、でんぷん、デキストリンおよび他の多糖類ベースの適した生物分解性接着剤の塗布によって半製品といっしょにされた、請求項２５記載の製品および半製品。
【請求項２８】  フィルムを鋳型および泡状フィルム形成から得ることができ、そして発泡支持体に対する接着剤表面と共押出することができる、請求項２５〜２７いずれかに記載の製品および半製品。
【請求項２９】  フィルムが60℃以上、好ましくは80℃以上、より好ましくは100℃以上の融点を有する、請求項２８記載の製品および半製品。
【請求項３０】  ラミネートされていないシートとして形成することができる、請求項２５〜２７いずれかに記載のシート。
【請求項３１】  様々な塗布により120℃までの融点を有する天然および合成ワックスで処理する、請求項１〜２２いずれかに記載の材料から得られる製品および半製品。
【請求項３２】  下記工程；
水の存在下での極限粘度2〜0.6dl/gのでんぷんを組成物総量に対して6〜30重量％の割合であって、でんぷん質成分が材料の連続相を構成するのに許容される量と、必要に応じて天然または合成熱可塑性ポリマーおよび、可塑剤、潤滑剤、核生成剤、界面活性剤、弱酸および充填剤などの他の添加剤とを、押出機に供する工程、
でんぷん質塊状物を完全に溶融する工程、
0.4〜10重量％、好ましくは0.8〜7重量％、より好ましくは1.0〜4重量％の量のＣＯ2を、溶融物に、100〜180℃、好ましくは120〜160℃の温度で導入する工程；および
溶融物を5〜40分作用させて、水およびＣＯ2のふくらまし剤、そして必要に応じてクエン酸および炭酸水素塩などの化学的ふくらまし剤の、混合の分配を均質化し、そして組成物の粘度1.5〜0.3dl/gへ調整する工程、
を包含する、押出機によるフォームシートの生産方法。
【請求項３３】  溶融物の押出成形が、500〜50,000秒-1、好ましくは800〜40,000秒-1、より好ましくは900〜35,000秒-1の溶融ずり速度を与えることができる平型またはチューブラヘッドを通して行なわれる、請求項３２記載の方法。
【請求項３４】  押出されたチューブラシートに空気または蒸気が吹き込まれ２軸延伸に与えられ、滑らかな表面を与えそしてシートを望ましい水分点(moisture point)で保ち、解放され、カレンダーにかけられ、必要に応じてさらに条件を設けられて、コイル上で巻きつけられる、請求項３３記載の方法。
【請求項３５】  チューブラシートに空気または蒸気が吹き込まれ、シート自体が膨張され、そしてシートを望ましい水分点で保ち、解放され、カレンダーにかけられ、そして平坦なシートに切断される、請求項３３に記載の方法。
【請求項３６】  口径測定され、条件を設けられ、収集された、チューブの形態の半製品に製造される、請求項３３に記載の方法。
【請求項３７】  下記工程；
水含有量6％〜30％、好ましくは10％〜25％、より好ましくは15％〜20％、および温度40〜120℃、好ましくは40〜100℃に、製品または半製品を調節する工程、
環境温度〜80℃の雄-雌インパクト金型で形成する工程、および
折りたたむことができ、必要に応じて繰返し閉鎖/開口サイクルに対するヒンジ抵抗を有する、密度40〜400ｋｇ／ｍ３、好ましくは45〜200ｋｇ／ｍ３、より好ましくは50〜150ｋｇ／ｍ３を有する、形成された製品を提供する工程、
を包含する、請求項１〜３１いずれかに記載の半製品の形成方法。
【請求項３８】  家庭用電気器具または電子製品、食品産業、医薬品、設計および家具、通信販売、または国際宅配便の封筒で使用される、顕著な弾性のロール、ブロックおよびフォームシート、コーナーピース、保護容器など様々な結合構造の製品を形成する、多層構造における請求項１〜３１いずれかに記載の部分完成品の組合せ。
【請求項３９】  他の支持体を有し、木、紙、段ボール、不織布ファブリック、天然または合成繊維の織物ファブリック、アルミニウムまたは梱包産業で使用される他の金属と混合された多層を提供する、請求項１〜３１いずれかに記載の材料の組合せ。
【請求項４０】  食品梱包産業、とりわけ賞味期限30日間の食品用の、肉、乳製品、野菜、卵およびフルーツの梱包用のトレイ；小さな寸法のガラス、プラスチックまたは金属の包装用のディスプレイ容器、ハンバーガー、ポテトチップおよび類似の製品など用のファーストフード用の容器；ファーストフードおよびミール用の多区画容器で使用される、請求項３７に記載の形成された製品。
【請求項４１】  コーヒーおよび飲料用のカップとしてのホットおよびコールド液体用、アジア諸国で使用される型のスープ用の容器、およびファーストフードおよびミールにおける液体高含有量のその他の製品用として使用される、請求項３７記載の形成された製品。
【請求項４２】  携帯電話および家庭用小型電気器具用の多区画トレイとしての、軽量化を対象とした容器であって、とりわけ、プレスペーパーなどの容器との接触による磨耗現象が避けられるような機械的特性を有するものとして使用される、請求項３７記載の形成された製品。
【請求項４３】  血液の存在を除去するための吸収剤または高吸収性材料の使用に提供される、スーパーマーケットで肉を包むトレイの形態であって、シート中に直接適合させた、あるいはその表面または併せて溶接された２つのシェルの中間層に、またはトレイを不浸透性にするフィルムの下に設けた、請求項３７記載の製品。
【請求項４４】  オーブンおよび電子レンジ用の容器の形態であって、必要に応じて、水が取り除かれることによって容器が過度に弱くなることを避けるために表面が処理されている、請求項３７に記載の形成された製品。
【手続補正２】
【補正対象書類名】明細書
【補正対象項目名】０００９
【補正方法】変更
【補正の内容】
【０００９】
でんぷん材料に関する範囲は、加工されていないでんぷんそして変性でんぷんの両方が含まれてもよく、またはこれらの混合物であってもよい。ポテト、小麦、トウモロコシおよびタピオカのでんぷんを使用するのが好ましい。変性でんぷんに関する範囲は、物理変性および化学変性があり、例えば、エトキシル化でんぷん、アセテートでんぷん、ブチレートでんぷん、プロピオネートでんぷん、ヒドロキシプロピル化でんぷん、陽イオン性でんぷん、酸化でんぷん、架橋でんぷん、ゼラチン化でんぷん、"Ｖ"型複合物を得ることができる分子および/またはポリマーと複合したでんぷん、デキストリン化したでんぷん、およびポリエステル、ポリウレタン、ポリエステル-ウレタン、ポリ尿素、ポリエステル-尿素、ポリシロキサン、シラン、チタネート、脂肪鎖などの鎖でグラフトしたでんぷんである。好ましい化学変性または物理変性でんぷんは、任意の種類の変性によるものであって、ＤＭＳＯ中30℃で測定する極限粘度が、2dl/g〜0.6dl/g、好ましくは1.5dl/g〜0.8dl/g、より好ましくは1.3dl/g〜1dl/gであるものである。